(57)【要約】【課題】画像処理部から伝送された画像データと文字データとをプリント部において合成してプリントする写真プリント装置において、プリント部のモニタにおいて合成結果を視覚的に確認する。【解決手段】画像処理部のキーボード５で入力した文字データを、プリント部での出力形態を再現する形態でモニタ３に表示するプレビュー生成手段３８を備え、このプレビュー生成手段３８は、プリント部において出力不能な文字をフォントテーブル３９に基づいて判断し、出力不能である場合には、モニタ３にプリント不能であることを示す記号を表示する。【選択図】図６
2007235390.tif 000002
【特許請求の範囲】
【請求項１】
プリント媒体に画像データのプリント処理を行うプリントユニットと、画像データ取得部で取得した画像データを前記プリントユニットに伝送する画像処理ユニットとを備えている写真プリント装置であって、
前記プリントユニットは、前記画像処理ユニットから画像データと文字コードデータとが伝送された際には、文字コードデータから生成したフォントイメージをハードウエアで画像データに合成する合成処理手段を備え、
前記画像処理ユニットは、前記プリントユニットにおいて前記文字コードデータに基づいて生成されるフォントイメージと、前記画像データとを合成したプレビューデータを生成してモニタに表示可能なプレビュー生成手段を備えている写真プリント装置。
【請求項２】
前記プリントユニットは、前記文字コードデータに対応したフォントイメージを生成するフォントジェネレータを備えると共に、このフォントジェネレータで生成したフォントイメージの表示位置を設定するロケート手段を備えており、
前記プレビュー生成手段は、前記フォントジェネレータで生成されるフォントイメージに等しい又は類似するフォントイメージを作り出して、前記ロケート手段で設定された表示位置に出力するエミュレート処理部を備えている請求項１記載の写真プリント装置。
【請求項３】
前記プリントユニットで生成可能なフォントイメージの存否の参照が可能なフォントテーブルを備えると共に、前記画像処理ユニットから伝送された文字コードデータに対応するフォントイメージが存在しないことをフォントテーブルから判別した際には、前記プリントユニットにフォントイメージが存在しないことを示すデータを前記モニタに表示する請求項１又は２記載の写真プリント装置。
【請求項４】
前記画像処理ユニットは、プリントすべき画像データに前記フォントイメージを合成する文字合成モードでの処理において、前記画像処理ユニットに備えたキーボードで入力された文字コードデータを取得して前記プリントユニットに伝送する処理を許容する請求項１〜３のいずれか１項に記載の写真プリント装置。
【発明の詳細な説明】
【技術分野】
【０００１】
本発明は、プリント媒体に画像データのプリント処理を行うプリントユニットと、画像データ取得部で取得した画像データを前記プリントユニットに伝送する画像処理ユニットとを備えている写真プリント装置に関し、詳しくは、画像データと文字とを合成してプリントを実現する技術に関する。
【背景技術】
【０００２】
上記のように構成された写真プリント装置としては特許文献１に記載されるものが存在する。この特許文献１では、キーボードをオペレータが操作することによって、モニタに画像と文字とを合成して表示した状態で、この文字の配置と、フォントサイズの設定等を行える点が記載され、このようにモニタに表示された画像と文字等とがデジタル露光機構で印画紙に露光され、現像処理されることによりプリントが仕上がる点が記載されている。
【０００３】
【特許文献１】特開２０００‐１８０９８５号公報
【発明の開示】
【発明が解決しようとする課題】
【０００４】
特許文献１に記載されたもののように、プリント対象とする画像データと、合成対象とする文字データとをモニタに表示し、このフォントイメージ（文字）をオペレータが望む位置に望むサイズで配置し、この配置をモニタ上で視覚的に確認できるものでは、オペレータが確認したものと同一のプリントを行えると云う良好な面を有するものである。
【０００５】
しかしながら、プリントユニットの外部において高解像度の画像データとフォントイメージとをソフトウエアを用いて合成して、プリントユニットに送り出すことは、処理速度に関して有効とは云えない。
【０００６】
記念写真のように撮影日時や撮影場所を示す文字データを画像データと合成する要望は従来から多くあり、この要望を実現するために特許文献１に記載される技術は有用であるものの、このフォントイメージは、画像データの略決まった位置に合成することが多く、しかも、撮影日時や撮影場所を例えば、アルファベットと数字だけを用いて表示することも可能である。
【０００７】
そこで、デジタルミニラボと称せられるデジタル型の写真プリント装置のようにデジタル処理が可能なものでは、使用頻度が高いフォントイメージだけを画像データに合成するために、限られた文字コードデータに対応してフォントイメージを生成するフォントジェネレータ等をプリント処理を行うプリントユニットに備えることにより、画像処理ユニットからプリントユニットに対して、文字コードデータと画像データを伝送するだけで、プリントユニットにおいて文字フォントを生成して画像データに合成して露光処理を行うことも考えられる。
【０００８】
しかしながら、プリントユニットにおいて画像データと文字データとを合成するものでは、プリント処理を行う以前に合成されたデータを視覚によって確認することができず、改善の余地がある。
【０００９】
本発明の目的は、プリントユニットにおいて画像データと文字データとを合成するように構成したものであっても、画像データと文字データとの合成を視覚的に確認できる写真プリント装置を合理的に構成する点にある。
【課題を解決するための手段】
【００１０】
本発明の特徴は、プリント媒体に画像データのプリント処理を行うプリントユニットと、画像データ取得部で取得した画像データを前記プリントユニットに伝送する画像処理ユニットとを備えている写真プリント装置において、
前記プリントユニットは、前記画像処理ユニットから画像データと文字コードデータとが伝送された際には、文字コードデータから生成したフォントイメージをハードウエアで画像データに合成する合成処理手段を備え、
前記画像処理ユニットは、前記プリントユニットにおいて前記文字コードデータに基づいて生成されるフォントイメージと、前記画像データとを合成したプレビューデータを生成してモニタに表示可能なプレビュー生成手段を備えている点にある。
【００１１】
この構成により、画像処理ユニットからプリントユニットに対して画像データと文字コードデータとを伝送することにより、このプリントユニットにおいてフォントイメージと画像データとをハードウエアを用いて合成処理手段が合成する。また、画像処理ユニットでは、プレビューデータを生成してモニタに表示することにより、オペレータがモニタに表示から合成結果を把握できる。その結果、プリントユニットにおいて画像データとフォントイメージとを合成するように構成したものであっても、画像データとフォントイメージとの合成を視覚的に確認できる写真プリント装置が合理的に構成された。
【００１２】
本発明は、前記プリントユニットは、前記文字コードデータに対応したフォントイメージを生成するフォントジェネレータを備えると共に、このフォントジェネレータで生成したフォントイメージの表示位置を設定するロケート手段を備えており、前記プレビュー生成手段は、前記フォントジェネレータで生成されるフォントイメージに等しい又は類似するフォントイメージを作り出して、前記ロケート手段で設定された表示位置に出力するエミュレート処理部を備えても良い。
【００１３】
この構成により、画像データと、ロケート手段で表示位置が設定されたフォントイメージとを合成したデータを、エミュレート処理部がモニタに表示することにより、画像データに合成されたフォントイメージの配置をモニタを介して確認できる。
【００１４】
本発明は、前記プリントユニットで生成可能なフォントイメージの存否の参照が可能なフォントテーブルを備えると共に、前記画像処理ユニットから伝送された文字コードデータに対応するフォントイメージが存在しないことをフォントテーブルから判別した場合には、前記プリントユニットにフォントイメージが存在しないことを示すデータを前記モニタに表示しても良い。
【００１５】
この構成により、画像処理ユニットからプリントユニットに伝送する文字コードデータに対応するフォントイメージがプリントユニットに存在しない場合には、フォントテーブルから判断して、モニタに表示されることにより、オペレータはフォントイメージが存在しないことを適切に把握できる。
【００１６】
本発明は、前記画像処理ユニットは、プリントすべき画像データに前記フォントイメージを合成する文字合成モードでの処理において、前記画像処理ユニットに備えたキーボードで入力された文字コードデータを取得して前記プリントユニットに伝送する処理を許容しても良い。
【００１７】
この構成により、画像処理ユニットで文字合成モードを選択することにより、この画像処理ユニットのキーボードで入力した文字コードデータをプリントユニットに伝送して画像データに合成することが可能となる。
【発明を実施するための最良の形態】
【００１８】
以下、本発明の実施形態を図面に基づいて説明する。
〔全体構成〕
図１に示すように、画像データの取得と、システム全体の制御とを行う画像処理部Ａ（画像処理ユニットの一例）を備えると共に、プリント媒体としての銀塩印画紙Ｐ（以下、印画紙Ｐと称する）に露光処理と現像処理とを行い、乾燥処理を行った後に送り出すプリント部Ｂ（プリントユニットの一例）を備えてデジタルミニラボと称せられる写真プリント装置が構成されている。
【００１９】
この写真プリント装置は、画像処理部Ａで取得した画像データと、プリントサイズやプリント枚数等のデータを含むオーダデータとを通信ケーブルＣを介して前記プリント部Ｂに対して伝送することによりプリント処理を実現する。特に、本発明の写真プリント装置では、画像データとオーダデータと後述する文字コードデータ等を前記プリント部Ｂに伝送することにより、画像データに文字を合成したプリントを実現する。
【００２０】
〔画像処理部〕
前記画像処理部Ａは、デスク部１に対して現像済み写真フィルムＦのコマ画像の情報を光電変換によりデジタル信号化して取り込むフィルムスキャナ２（画像データ取得部の一例）と、各種情報を表示するモニタ３と、画像処理と各種処理とを実現するように汎用コンピュータで成る処理装置４とを配置し、デスク部１の上面には情報を入力するキーボード５と、マウス６とを備えている。前記処理装置４の上部位置にはＣＤやＭＯやＦＤ等のディスク型の記録媒体Ｘからの情報を取得する、あるいは、半導体型の記録媒体Ｘからの情報を取得するように記録媒体Ｘの構造に対応したメディアドライブ７（画像データ取得部の一例）を備え、内部に情報を保存する半導体メモリ３１やハードディスクＨＤ（図３を参照）を備えている。
【００２１】
前記フィルムスキャナ２は、前記写真フィルムＦのサイズに適合したフィルムキャリア８を装着し、このフィルムキャリア８に写真フィルムＦをセットしてスキャニングを開始することにより、写真フィルムＦに光源から光線を照射する状態で、この写真フィルムＦを副走査方向（長手方向）に搬送することにより、光電変換部において写真フィルムＦのコマ画像をデジタル信号化した画像データとして取り込む処理が行われ、このように取り込まれた画像データは、前記処理装置４において前記半導体メモリ３１やハードディスクＨＤに保存される。
【００２２】
〔プリント部〕
前記プリント部Ｂは、図１及び図２に示すように、露光ブロックＥｘと、現像ブロックＤｅと、乾燥ブロックＤｒとを暗箱構造の筐体１０に収納している。筐体１０の外部には処理の後に筐体１０の上部から水平方向に送り出された印画紙Ｐを搬送するベルト搬送機構１１を備え、このベルト搬送機構１１から送られる印画紙Ｐをオーダ単位で仕分けて集積するよう複数のトレー１２を有したソータ１３を備え、更に、ベルト搬送機構１１の下方位置には大きいサイズの印画紙Ｐを受け止めるラック１４を備えている。
【００２３】
前記露光ブロックＥｘは、下部に２つの印画紙マガジンＭ、Ｍの収納空間を有すると共に、２つの印画紙マガジンＭ、Ｍの一方に収納したロール状の印画紙Ｐを供給ユニットＵ１でプリントサイズに切断して上方に搬送し、この印画紙Ｐを露光搬送ユニットＵ２において上方に搬送しながら画像データの露光を行う。次に、この露光搬送ユニットＵ２から上方に送られる印画紙Ｐを前部ローラユニットＵ３において搬送方向を水平方向に変換して送り、更に、振分ユニットＵ４で２列の振り分け搬送経路に振り分けて送り出し、この振り分け搬送経路に沿って送り出された印画紙Ｐを後部ローラユニットＵ５によって前記現像ブロックＤｅに受け渡す作動を行う。
【００２４】
前記供給ユニットＵ１は、圧着型のアドバンスローラ１６で印画紙Ｐを圧着してカッター１７の部位を通過させ、その印画紙Ｐの先端をチャックユニット１８に受け渡し、このチャックユニット１８で挟持して印画紙Ｐを上方に搬送する作動を行うと共に、この上方への搬送時において、搬送を一時的に停止してカッター１７の作動によって印画紙Ｐをプリントサイズに切断する。
【００２５】
また、前記露光搬送ユニットＵ２は、圧着状態と解除状態とに切換自在な複数の圧着ローラ１９を備え、供給ユニットＵ１から送られた印画紙Ｐを圧着ローラ１９で順次圧着する形態で搬送を行う。前記前部ローラユニットＵ３は、圧着状態と解除状態とに切換自在な複数の圧着ローラ２０を備え、露光搬送ユニットＵ２から送られた印画紙Ｐを、これらの圧着ローラ２０で圧着する形態で搬送を行う。
【００２６】
前記振分ユニットＵ４は、前記前部ローラユニットＵ３から小さいサイズの印画紙Ｐが送られた際には、この印画紙Ｐを２つのチャッカーＣＨで順次受け取り、２列の振り分け経路に沿って千鳥配列で送り出す搬送を行う。尚、この振分ユニットＵ４では、前記前部ローラユニットＵ３から大きいサイズの印画紙Ｐが送られた際には、２つのチャッカーＣＨで印画紙Ｐの幅方向の両端部を同時に挟持して送り出す搬送を行う。
【００２７】
前記後部ローラユニットＵ５は、複数の圧着ローラ２１を備えており、前記振分ユニットＵ４から送られる印画紙Ｐを前記現像ブロックＤｅに送り込む搬送を行う。
【００２８】
この露光ブロックＥｘでは、前記露光搬送ユニットＵ２で搬送される印画紙Ｐの感光面に画像データの露光を行う露光エンジン２３を備え、この露光エンジン２３の直下位置には、露光エンジン２３を制御する露光制御装置２４を備えている。図面には示していないが、前記露光エンジン２３は、ケーシングの内部に収納したＲ（赤）、Ｇ（緑）、Ｂ（青）の３原色のレーザ光源からのレーザビームの光量を音響光学式等の変調手段によって調節した後、縦軸芯で回転するポリゴンミラーのミラー面で反射させることにより主走査方向に走査する状態で前記露光位置に送り出す。また、前記露光制御装置２４は、前記処理装置４から伝送された画像データに基づいて露光エンジン２３を制御することにより、画像データを印画紙Ｐに露光する処理を実現する。
【００２９】
前記現像ブロックＤｅは、発色現像槽と漂白定着槽と安定槽とで成る複数の現像処理槽２６を備えると共に、夫々の現像処理槽２６に印画紙Ｐを供給する搬送機構を備えている。前記乾燥ブロックＤｒは、現像ブロックＤｅから送り出される印画紙Ｐを搬送する搬送機構と、この搬送機構で搬送される印画紙Ｐに対してヒータで加熱された空気を供給するブロワー２７を備えている。
【００３０】
この写真プリント装置では、画像処理部Ａから画像データと、文字コードデータと、表示位置データと、表示形態データとをプリント部Ｂに伝送することにより、このプリント部Ｂにおいて文字コードデータからフォントイメージを生成し、このフォントイメージと画像データとを合成して印画紙Ｐにプリントする処理を実現するものであり、その詳細を以下に説明する。
【００３１】
〔制御構成〕
図３に示すように、前記処理装置４は、マイクロプロセッサＣＰＵを備えると共に、情報の入出力を行う入出力インタフェース３０（Ｉ／Ｏ）を備えている。この入出力インタフェース３０に対して前記フィルムスキャナ２、モニタ３、キーボード５、マウス６、メディアドライブ７、ハードディスクＨＤ夫々の情報の入出力系を形成し、更に、通信ユニット４０に対する入出力系を形成している。
【００３２】
前記マイクロプロセッサＣＰＵのデータバスに対して、半導体メモリ３１、オペレーティングシステム３２、画像データ取得手段３３、オーダデータ取得手段３４、補正手段３５、プリント処理手段３６、文字入力手段３７、プレビュー生成手段３８、フォントテーブル３９を接続している。
【００３３】
前記露光制御装置２４は、マイクロプロセッサＣＰＵを備えると共に、情報の入出力を行う入出力インタフェース４１（Ｉ／Ｏ）を備えている。この入出力インタフェース４１に対して前記露光エンジン２３、この露光エンジン２３に画像データを出力する信号経路にデータを与える演算回路５０、露光搬送ユニットＵ２の駆動モータ（図示せず）夫々に対する出力系を形成し、更に、通信ユニット４２に対する入出力系を形成している。尚、この通信ユニット４２は前記画像処理部Ａの通信ユニット４０と前記通信ケーブルＣを介して接続している。
【００３４】
前記マイクロプロセッサＣＰＵのデータバスに対して、半導体メモリ４３、プリント出力手段４４、フォントジェネレータ４５、ロケート手段４６、合成処理手段４７を接続している。
【００３５】
尚、制御を実現するために前記データバスの他にコントロールバスやアドレスバス等を必要とするものであるが、複雑化を避けるために図面にはコントロールバスやアドレスバス、あるいは、インタフェース類を示していない。
【００３６】
前記オペレーティングシステム３２、画像データ取得手段３３、オーダデータ取得手段３４、補正手段３５、プリント処理手段３６、文字入力手段３７、プレビュー生成手段３８、フォントテーブル３９、及び、プリント出力手段４４、フォントジェネレータ４５、ロケート手段４６、合成処理手段４７は、半導体メモリ（例えば、ＲＡＭ）に展開されたプログラムで構成されるものを想定しているが、ロジック等のハードウエアで構成することや、ロジック等のハードウエアと組み合わせて構成しても良い。
【００３７】
前記処理装置４において、前記オペレーティングシステム３２は、処理に必要なプログラムを前記半導体メモリ（ＲＡＭ）上に展開し、必要な情報をモニタ３に表示し、前記キーボード５やマウス６の操作に基づいた情報をＧＵＩ型の処理によって取得し、このように取得した情報に基づいてプログラムの実行やメモリの管理を実現する。
【００３８】
前記画像データ取得手段３３は、前記フィルムスキャナ２を介して写真フィルムＦから画像データを取得する、あるいは、前記メディアドライブ７を介して記録媒体Ｘに記憶されている画像データを取得する処理を実現する。前記オーダデータ取得手段３４は、チャンネル設定画面（図示せず）、あるいは、プレジャッジ画面（図示せず）を表示してオペレータに必要なデータの入力を求め、画像データを印画紙Ｐにプリントするために必要なプリントサイズやプリント枚数等のデータを取得する処理を実行する。
【００３９】
前記補正手段３５は、取得した画像データに対して自動的な補正処理、あるいは、補正画面（図示せず）をモニタ３に表示した状態でオペレータの操作に基づいた人為的な補正処理を実現する。前記プリント処理手段３６は、前記画像データ（補正処理後の画像データを含む）と、前記オーダデータとを前記プリント部Ｂに伝送してプリント部Ｂでのプリント処理を実現する。
【００４０】
前記文字入力手段３７は、文字合成モードを選択した状態において、キーボード５の操作に基づき画像データに合成するための文字コードデータを取得する処理を実現する。前記プレビュー生成手段３８は、画像データと文字コードデータに対応するフォントイメージとを合成したデータを生成してモニタ３に表示する処理を実現する。また、このプレビュー生成手段３８は、画像データにフォントイメージを合成する際に、このフォントイメージを前記ロケート手段４６による表示位置に出力するエミュレート処理部３８Ａを備えている。
【００４１】
前記フォントテーブル３９は、前記露光制御装置２４のフォントジェネレータ４５によって生成可能なフォントイメージの有無を文字コードデータと対応させたテーブルデータであり、このフォントテーブル３９に文字コードデータを入力することにより、その文字コードデータに対応するフォントイメージの存否を示すデータが出力される構造である。
【００４２】
前記露光制御装置２４において、前記プリント出力手段４４はプリントすべきデータを前記露光エンジン２３に出力すると共に、露光搬送ユニットＵ２による印画紙Ｐの搬送速度を制御する処理を実現する。具体的には印画紙Ｐにプリントすべきサイズとなるビットマップ構造の画像データを前記半導体メモリ４３（ＲＡＭ）に展開し、ポリゴンミラーの回転に同期して、この半導体メモリ４３に展開した画像データの主走査方向に沿うアドレスを指定することによりラインデータを読み出して前記露光エンジン２３に出力する処理を行い、また、このポリゴンミラーの回転速度と同期した速度で露光搬送ユニットＵ２での印画紙Ｐの搬送速度を制御する。
【００４３】
前記フォントジェネレータ４５は、前記処理装置４から伝送された文字コードデータに対応するフォントイメージを生成する。前記ロケート手段４６は画像データ上にフォントイメージを配置する際の表示位置を設定する。前記合成処理手段４７は、前記演算回路５０を制御することにより、フォントイメージを画像データに合成する出力を実現する。
【００４４】
この露光制御装置２４において画像データにフォントイメージを合成する処理として、例えば、画像データと、フォントイメージとを異なるレイヤに展開し、夫々のレイヤを合成する処理を行うことによりプリント出力のための画像データを生成することも考えられるが、この処理は露光制御装置２４の負担が大きく高速な処理を行い難い面があるため、本実施形態では、画像データを露光エンジン２３に伝送する信号経路に対して、トランジスタ等の電力素子やロジック等の高速作動が可能な演算回路５０を備え、露光時に露光エンジン２３に伝送する画像データに対して、フォントイメージの露光を行うべきタイミングで（フォントイメージの濃度を与えるべき画素に対して）演算回路５０を制御することで露光エンジン２３から送り出されるレーザビームの光量を制御するように構成されている。
【００４５】
〔制御形態〕
この写真プリント装置において、現像処理後の印画紙Ｐに対して図５に示す合成領域Ｇａに文字を合成する際の処理の流れを図４のフローチャートのように示すことが可能である。
【００４６】
つまり、文字を合成する際には、文字合成モードを選択することにより、図５に示すように、前記モニタ３に文字合成画面６０を表示すると共に、この画面中に文字が合成される画像データＧを表示する。この文字合成画面６０にはＯＫボタン６１と、キャンセルボタン６２とが表示されている。
【００４７】
この文字合成画面６０において文字を合成する際には、合成領域Ｇａとして任意に設定した位置の先頭にカーソルをセットした状態でキーボード５を操作して任意の文字の入力を行う。この文字の入力の際には、文字サイズや文字色やフォントの種類、文字の表示形態を設定することが可能であり、このよう設定されたデータが表示位置データと表示形態データとして取得され、（＃０１、＃０２ステップ）、このように取得した文字コードデータに対応するフォントイメージの存否をフォントテーブル３９に保存されているデータと対比し、その文字フォントイメージが存在することを判別した場合には画面中に文字コードデータに対応するフォントイメージを表示し、そのフォントイメージが存在しないことを判別した場合には文字が存在しないことを示す記号を文字列中に表示する（＃０１〜＃０５ステップ）。
【００４８】
このように文字を入力する処理は前記文字入力手段３７が実現し、文字合成画面６０に文字を表示する処理はプレビュー生成手段３８が実現する。文字の表示形態とは、文字サイズ、表示色、文字列の配列方向（横書きや縦書きを含む）、文字列の数等を示すものである。このプレビュー生成手段３８は、前記エミュレート処理部３８Ａが、前記表示位置データと表示形態データとに基づいて前記フォントジェネレータ４５で生成されるフォントイメージを画像データ上に表示する処理を実現する。
【００４９】
また、このプレビュー生成手段３８は前記フォントジェネレータ４５によって生成可能なフォントイメージを忠実に生成する必要はなく、フォントジェネレータ４５によって生成されるフォントイメージに類似するフォントイメージを生成してモニタ３に表示するものであっても良い。
【００５０】
＃０４ステップにおいて、キーボード５から入力された文字コードデータに対応するフォントイメージがフォントテーブル３９に存在しないことを判別した場合には、文字が存在しないことを示す記号として、文字列中に使用することが少ない「×」等を想定しているが、文字が存在しないことをメッセージで表示するように処理形態を設定しても良い。
【００５１】
この画面中における文字の表示位置データ（ロケートデータ）と、文字サイズや表示色等の表示形態データとが取得され、これらの処理が画面中に文字を表示する処理が終了するまで継続する（＃０７〜＃０９ステップ）。
【００５２】
特に、文字合成画面６０を表示する際には、オペレータが予め設定された操作を行うことになるが、例えば、プレジャッジ画面に表示された複数の画像データのうちオペレータが文字合成の対象とするものを選択することにより、この文字合成画面６０を表示するように処理形態を設定することが合理的である。このようにプレジャッジ画面での処理から文字合成画面６０に移行するように処理形態を設定した場合には、前記ＯＫボタン６１あるいはキャンセルボタン６２を操作することにより元のプレジャッジ画面に復帰することになる。
【００５３】
次に、プリント処理を実行する際には、画像データと文字コードデータと表示位置データと表示形態データとを露光制御装置２４に伝送することにより、この露光制御装置２４ではフォントジェネレータ４５が文字コードデータに基づいてフォントイメージを生成し、表示位置データと表示形態データとに基づいてロケート手段４６が、設定された位置に設定された形態でフォントイメージの出力位置（表示位置）を設定する（＃１０、＃１１ステップ）。
【００５４】
また、ロケート手段４６がフォントイメージの出力位置（表示位置）を設定する際には、このフォントイメージを画像データと合成するのではなく、半導体メモリにおいて画像データと別個の領域に展開する処理が行われる。
【００５５】
この後、画像データが出力されると、この画像データが露光エンジン２３に出力される処理と連係して、合成処理手段４７が、フォントイメージを演算回路５０に出力することにより、画像データに文字をプリントする処理が実現するのである（＃１２、＃１３ステップ）。
【００５６】
前述したように画像データは、Ｒ（赤）、Ｇ（緑）、Ｂ（青）の３原色のデータを有するものであり、露光を行う際には、この３原色の画像データが半導体メモリ上に展開され、ポリゴンミラーの回転に同期して、プリント出力手段４４が、３原色の画像データの主走査方向に沿うアドレスを指定してラインデータを読み出し、このラインデータを露光エンジン２３に伝送することにより、この露光エンジン２３の変調手段がラインデータに基づいて３原色のレーザビームの光量を制御する形態で露光が行われる。
【００５７】
このように３原色の画像データのアドレスを指定する際には、フォントイメージが展開されている半導体メモリのアドレスも同期して指定するように処理形態が設定され、フォントイメージが展開されているアドレスにフォントイメージが含まれている場合には、そのフォントイメージの濃度データが演算回路５０に出力されることにより、フォントイメージに対応した濃度データが露光エンジン２３に出力されることになり、画像データに重ね合わせる形態でフォントイメージを露光する処理が行われるのである。
【００５８】
このような処理よるデータの流れを図６のように示すことが可能であり、この露光の結果プリントされた印画紙Ｐには、図５に示す画像データＧと同様に、合成領域Ｇａに文字がプリントされるものとなる。
【００５９】
このように、本発明によると、画像処理ユニットとして機能する画像処理部Ａにおいてオペレータが文字合成画面６０上で画像データと文字とを合成する操作を行うだけで、プリント部Ｂでのプリントによって画像データと文字との合成結果をモニタ３において視認によって確認することが可能となる。そして、プリントを実行する場合には、プリントユニットとして機能するプリント部Ｂに対して、画像データと文字コードデータと、表示位置データと、表示形態データとが自動的に伝送されるものとなり、この伝送が行われることにより、プリント部Ｂにおいて画像データに文字を合成したプリント処理を行えるのである。
【００６０】
プリント部Ｂに備えたフォントイメージの数が限られているものにおいて、プリント部Ｂにおいてプリント不能なフォントイメージの出力を行う設定を行った場合にはモニタ３において、出力不能であることを確認できるので、文字が表示されないプリントを行う無駄を未然に回避できるものにしている。
【００６１】
また、露光エンジン２３に伝送する画像データを演算回路５０で処理する処理形態を採用することにより、プリント処理に要する時間の短縮を実現している。
【図面の簡単な説明】
【００６２】
【図１】写真プリント装置の斜視図
【図２】プリント部の縦断正面図
【図３】制御構成のブロック回路図
【図４】文字合成処理のフローチャート
【図５】文字合成画面を示す図
【図６】文字合成処理時でのデータの流れを模式的に示す図
【符号の説明】
【００６３】
５            キーボード
３８          プレビュー生成手段
３８Ａ        エミュレート処理部
３９          フォントテーブル（文字テーブル）
４５          フォントジェネレータ
４６          ロケート手段
４７          合成処理手段
Ａ            画像処理ユニット（画像処理部）
Ｂ            プリントユニット（プリント部Ｂ）
Ｐ            プリント媒体（印画紙）
【図１】
2007235390.tif 000003
【図２】
2007235390.tif 000004
【図３】
2007235390.tif 000005
【図４】
2007235390.tif 000006
【図５】
2007235390.tif 000007
【図６】
2007235390.tif 000008